【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
眼内圧を低減するための装置であって、該装置が、シュレム管内に完全に含まれるようにシュレム管内で周方向に埋込み可能な支持体を含み、該支持体は、該シュレム管の少なくとも一部の開放性を維持するように構成されており、該支持体が、シュレム管の中核の少なくとも一部を占め、シュレム管を横切る通壁的流れに実質的に干渉しない、装置。
【請求項２】
前記支持体が活性剤を含む、請求項１に記載の装置。
【請求項３】
前記支持体が前記活性剤で被覆または含浸される、請求項２に記載の装置。
【請求項４】
前記活性剤が前記支持体内に分散される、請求項２に記載の装置。
【請求項５】
前記活性剤が、プロスタグランジン、プロスタグランジン類似体、ベータ遮断薬、アルファ‐２アゴニスト、カルシウムチャネル遮断薬、炭酸脱水酵素阻害薬、成長因子、代謝拮抗物質、化学療法剤、ステロイド、成長因子の拮抗薬、およびそれらの組み合わせからなる群から選択される、請求項２に記載の装置。
【請求項６】
前記支持体が少なくとも１つの穿孔を有する、請求項１に記載の装置。
【請求項７】
前記支持体が、電磁放射線を用いて修正できる、請求項１に記載の装置。
【請求項８】
前記電磁放射線が、前記支持体の少なくとも１つの局所部分により吸収可能な波長を有するレーザを含む、請求項７に記載の装置。
【請求項９】
前記活性剤が、電磁放射線を用いて放出できる、請求項２に記載の装置。
【請求項１０】
前記活性剤の放出が、時間放出方式を用いて制御可能である、請求項２に記載の装置。
【請求項１１】
前記支持体が、シュレム管の周長とほぼ等しい周長を有する、請求項１に記載の装置。
【請求項１２】
前記支持体が、シュレム管の周長の約半分と等しい周長、あるいは半分未満の周長を有する、請求項１に記載の装置。
【請求項１３】
前記支持体が、シュレム管の周長の約４分の１と等しい周長、あるいは４分の１未満の周長を有する、請求項１に記載の装置。
【請求項１４】
前記支持体が堅い弓形部材を含み、該弓形部材が、シュレム管の曲率半径よりも小さい曲率半径を有する、請求項１に記載の装置。
【請求項１５】
前記支持体が堅い弓形部材を含み、該弓形部材が、シュレム管の曲率半径よりも大きい曲率半径を有する、請求項１に記載の装置。
【手続補正２】
【補正対象書類名】明細書
【補正対象項目名】００１８
【補正方法】変更
【補正の内容】
【００１８】
眼内圧を低減するための方法も記載される。本方法は、支持体をシュレム管内で周方向に挿入するステップを含む。支持体は、管の少なくとも一部の開放性を維持するように構成されている。支持体は、シュレム管の中核の少なくとも一部を占め、管を横切る通壁的流れに実質的に干渉しない。幾つかの変更態様において、本方法は、支持体の挿入前に、シュレム管を拡張するステップも含む。さらに他の変更態様において、本方法は、支持体を組織に係止するステップを含む。本方法は、少なくとも２つの支持体を埋込むステップを含むことができる。２つ以上の支持体が単一の眼内に埋込まれる場合、これらの多数の支持体は、シュレム管内で、周方向で相互に隣接させて位置決めすることができ、あるいは、周方向で相互に対向して位置決めする（すなわち約１８０°離して位置決めする）ことができる。１つの眼内の多数の支持体は、結合することができ、あるいは分離したまま残すことができる。本方法の幾つかの変更態様において、支持体の位置を視覚的に強化するために、支持体は、光源で照射される。本方法の他の変更態様において、支持体は、電磁放射線を用いて修正することができる。例えば、支持体を修正するために、支持体の少なくとも１つの局所部分により吸収されるレーザを使用することができる。修正は、支持体内の孔の生成または拡大を含むことができる。電磁放射線を使用して支持体が修正される場合、修正は、埋込み前または埋込み後に行うことができる。
本発明はまた、以下の項目を提供する。
（項目１）
眼内圧を低減するための装置であって、該装置が、シュレム管内で周方向に埋込み可能な、該シュレム管の少なくとも一部の開放性を維持するように構成されている支持体を含み、上記支持体が、シュレム管の中核の少なくとも一部を占め、シュレム管を横切る通壁的流れに実質的に干渉しない、装置。
（項目２）
上記支持体が活性剤を含む、項目１に記載の装置。
（項目３）
上記支持体が上記活性剤で被覆または含浸される、項目２に記載の装置。
（項目４）
上記活性剤が上記支持体内に分散される、項目２に記載の装置。
（項目５）
上記活性剤が、プロスタグランジン、プロスタグランジン類似体、ベータ遮断薬、アルファ‐２アゴニスト、カルシウムチャネル遮断薬、炭酸脱水酵素阻害薬、成長因子、代謝拮抗物質、化学療法剤、ステロイド、成長因子の拮抗薬、およびそれらの組み合わせからなる群から選択される、項目２に記載の装置。
（項目６）
上記支持体が少なくとも１つの穿孔を有する、項目１に記載の装置。
（項目７）
上記支持体が、電磁放射線を用いて修正できる、項目１に記載の装置。
（項目８）
上記電磁放射線が、上記支持体の少なくとも１つの局所部分により吸収可能な波長を有するレーザを含む、項目７に記載の装置。
（項目９）
上記活性剤が、電磁放射線を用いて放出できる、項目２に記載の装置。
（項目１０）
上記活性剤の放出が、時間放出方式を用いて制御可能である、項目２に記載の装置。
（項目１１）
上記支持体が、シュレム管の周長とほぼ等しい周長を有する、項目１に記載の装置。
（項目１２）
上記支持体が、シュレム管の周長の約半分と等しい周長、あるいは半分未満の周長を有する、項目１に記載の装置。
（項目１３）
上記支持体が、シュレム管の周長の約４分の１と等しい周長、あるいは４分の１未満の周長を有する、項目１に記載の装置。
（項目１４）
上記支持体が堅い弓形部材を含み、該弓形部材が、シュレム管の曲率半径よりも小さい曲率半径を有する、項目１に記載の装置。
（項目１５）
上記支持体が堅い弓形部材を含み、該弓形部材が、シュレム管の曲率半径よりも大きい曲率半径を有する、項目１に記載の装置。
（項目１６）
上記支持体の少なくとも一部が生体適合性ポリマー製である、項目１に記載の装置。
（項目１７）
上記生体適合性ポリマーが、アクリル樹脂およびシリコーンからなる群から選択される、項目１６に記載の装置。
（項目１８）
上記生体適合性ポリマーが生分解性ポリマーを含む、項目１６に記載の装置。
（項目１９）
上記生分解性ポリマーが、コラーゲン、コラーゲン誘導体、ポリ（ラクチド）；ポリ（グリコリド）；ポリ（ラクチド‐コ‐グリコリド）；ポリ（乳酸）；ポリ（グリコール酸）；ポリ（乳酸‐コ‐グリコール酸）；ポリ（ラクチド）／ポリ（エチレングリコール）共重合体；ポリ（グリコリド）／ポリ（エチレングリコール）共重合体；ポリ（ラクチド‐コ‐グリコリド）／ポリ（エチレングリコール）共重合体；ポリ（乳酸）／ポリ（エチレングリコール）共重合体；ポリ（グリコール酸）／ポリ（エチレングリコール）共重合体；ポリ（乳酸‐コ‐グリコール酸）／ポリ（エチレングリコール）共重合体；ポリ（カプロラクトン）；ポリ（カプロラクトン）／ポリ（エチレングリコール）共重合体；ポリ（オルトエステル）；ポリ（ホスファゼン）；ポリ（ヒドロキシブチレート）、またはポリ（ヒドロキシブチレート）を含む共重合体；ポリ（ラクチド‐コ‐カプロラクトン）；ポリカーボネート；ポリ（エステルアミド）；ポリ無水物；ポリ（ジオキサノン）；ポリ（アルキル化アルキレン）；ポリエチレングリコールとポリオルトエステルとの共重合体；生分解性ポリウレタン；ポリ（アミノ酸）；ポリエーテルエステル；ポリアセタール；ポリシアノアクリレート；ポリ（オキシエチレン）／ポリ（オキシプロピレン）共重合体；ならびに、それらの混合物および共重合体からなる群から選択される、項目１８に記載の装置。
（項目２０）
上記支持体が、蛍光放射または燐光放射を用いて視覚的に強化できる、項目１に記載の装置。
（項目２１）
上記支持体が、光源により励起されると蛍光または燐光を発する発色団を含む、項目２０に記載の装置。
（項目２２）
上記放射される蛍光または燐光が、約３００ｎｍ〜約８００ｎｍの波長範囲である、項目２０に記載の装置。
（項目２３）
上記支持体の少なくとも一部が形状記憶材料製である、項目１に記載の装置。
（項目２４）
上記形状記憶材料が形状記憶ポリマーを含む、項目２３に記載の装置。
（項目２５）
上記形状記憶材料が形状記憶合金を含む、項目２３に記載の装置。
（項目２６）
上記形状記憶合金がニッケル・チタン合金を含む、項目２５に記載の装置。
（項目２７）
上記支持体が、埋込み前および埋込み中に圧縮状態を、そして埋込み後に膨張状態を有する、項目２３に記載の装置。
（項目２８）
上記支持体の少なくとも一部がヒドロゲル製である、項目１に記載の装置。
（項目２９）
上記支持体の少なくとも一部がポリメタクリル酸メチル製である、項目１６に記載の装置。
（項目３０）
上記支持体の少なくとも一部が生体適合性金属製である、項目１に記載の装置。
（項目３１）
上記金属が金である、項目３０に記載の装置。
（項目３２）
上記支持体が、隣接する少なくとも２つのビーズを含む、項目１に記載の装置。
（項目３３）
上記隣接する少なくとも２つのビーズが、異なる大きさである、項目３２に記載の装置。
（項目３４）
上記隣接する少なくとも２つのビーズが、異なる形状である、項目３２に記載の装置。
（項目３５）
上記隣接する少なくとも２つのビーズの上記形状が、球形、回転楕円形、卵形、円筒形、直方形、立方形、円錐形、円板状、コイル状、ならびに、それらの組み合わせおよびセグメントからなる群から独立して選択される、項目３２に記載の装置。
（項目３６）
上記隣接する少なくとも２つのビーズを連結する接合具をさらに含む、項目３２に記載の装置。
（項目３７）
上記接合具が可撓性である、項目３６に記載の装置。
（項目３８）
隣接する少なくとも３つのビーズをさらに含み、各ビーズが、接合具によってその隣接するビーズに連結される、項目３６に記載の装置。
（項目３９）
各接合具が、異なる長さを有する、項目３８に記載の装置。
（項目４０）
上記接合具が、上記ビーズと同一の材料を含む、項目３６に記載の装置。
（項目４１）
上記接合具が、上記ビーズとは異なる材料を含む、項目３６に記載の装置。
（項目４２）
上記支持体が少なくとも２つのディスクを含み、該ディスクが、接合具により分離され、この接合具に結合している、項目１に記載の装置。
（項目４３）
上記ディスクの少なくとも１つが、少なくとも１つの穿孔を有する、項目４２に記載の装置。
（項目４４）
上記支持体が、シュレム管の壁に、少なくとも２つの地点にて接触するように構成されている、項目１に記載の装置。
（項目４５）
上記支持体が、シュレム管の壁に、少なくとも３つの地点にて接触するように構成されている、項目４４に記載の装置。
（項目４６）
上記支持体が中実である、項目１に記載の装置。
（項目４７）
上記支持体の少なくとも一部が中空である、項目１に記載の装置。
（項目４８）
上記支持体の少なくとも一部が多孔性である、項目１に記載の装置。
（項目４９）
上記支持体の少なくとも一部がメッシュ製である、項目１に記載の装置。
（項目５０）
上記接合具が、隣接するビーズ間に空間を提供するように構成されるスペーサでもある、項目３６に記載の装置。
（項目５１）
上記支持体が、１つ以上の棒状部材を含む、項目１に記載の装置。
（項目５２）
上記支持体を組織に取付けることができる、項目１に記載の装置。
（項目５３）
眼内圧を低減するためのキットであって、該キットが、
シュレム管内で周方向に埋込み可能な、該シュレム管の少なくとも一部の開放性を維持するように構成されている支持体であって、シュレム管の中核の少なくとも一部を占め、シュレム管を横切る通壁的流れに実質的に干渉しない支持体と、
上記支持体を送達するための導入器と、
を含む、キット。
（項目５４）
上記キットの使用に関するインストラクションをさらに含む、項目５３に記載のキット。
（項目５５）
活性剤をさらに含む、項目５３に記載のキット。
（項目５６）
少なくとも２つの支持体を含む、項目５３に記載のキット。
（項目５７）
上記少なくとも２つの支持体を送達するための、少なくとも２つの導入器を含む、項目５６に記載のキット。
（項目５８）
上記少なくとも２つの支持体が、異なる形状である、項目５６に記載のキット。
（項目５９）
上記少なくとも２つの支持体が、異なる大きさである、項目５６に記載のキット。
（項目６０）
上記少なくとも２つの支持体が、異なる材料を含む、項目５６に記載のキット。
（項目６１）
上記少なくとも２つの支持体が共に結合される、項目５６に記載のキット。
（項目６２）
上記支持体を組織に取付けるための固定装置をさらに含む、項目５３に記載のキット。
（項目６３）
上記支持体を視覚的に強化するためのシステムをさらに含む、項目５３に記載のキット。
（項目６４）
上記支持体を位置決めするための位置決め装置をさらに含む、項目５３に記載のキット。
（項目６５）
支持体をシュレム管内で周方向に挿入するステップを含む、眼内圧を低減するための方法であって、該支持体が、該シュレム管の少なくとも一部の開放性を維持するように構成されており、該支持体が、シュレム管の中核の少なくとも一部を占め、シュレム管を横切る通壁的流れに実質的に干渉しない、方法。
（項目６６）
上記支持体の挿入前にシュレム管を拡張するステップをさらに含む、項目６５に記載の方法。
（項目６７）
上記支持体を組織に係止するステップをさらに含む、項目６５に記載の方法。
（項目６８）
少なくとも２つの支持体を挿入するステップを含む、項目６５に記載の方法。
（項目６９）
上記少なくとも２つの支持体を、シュレム管内で周方向に相互に隣接させて位置決めするステップを含む、項目６８に記載の方法。
（項目７０）
上記少なくとも２つの支持体を、シュレム管内で周方向に相互に対向して位置決めするステップを含む、項目６８に記載の方法。
（項目７１）
上記少なくとも２つの支持体が共に結合される、項目６８に記載の方法。
（項目７２）
上記支持体の位置を視覚的に強化するために、光源を用いて上記支持体を照射するステップをさらに含む、項目６５に記載の方法。
（項目７３）
電磁放射線を用いて上記支持体を修正するステップをさらに含む、項目６５に記載の方法。
（項目７４）
上記支持体の修正が、上記支持体が埋込まれた後に実施される、項目７３に記載の方法。
（項目７５）
上記電磁放射線が、上記支持体の少なくとも１つの局所部分により吸収可能な波長を有するレーザを含む、項目７３に記載の方法。
（項目７６）
上記修正が、上記支持体内での少なくとも１つの孔の生成または拡大を含む、項目７３に記載の方法。
【手続補正３】
【補正対象書類名】図面
【補正対象項目名】図１１Ｂ
【補正方法】変更
【補正の内容】
【図１１Ｂ】
2009541005.tif 000001